(57)【要約】【課題】より効率的・経済的な植物種切断装置を提供する。【解決手段】植物種切断装置１は、貫通穴５２形成されたテーブル５と、貫通穴５２を、テーブル５の下方からテーブル５表面より上方にせり上がり可能な切断刃４１と、切断刃４１を移動させる移動機構３と、を有し、テーブル５は、長穴形状の横貫通穴５２ａと、長穴形状の縦貫通穴５２ｂと、を有し、横貫通穴５２ａと縦貫通穴５２ｂとは、交差しており、切断刃４１は、横貫通穴５２ａを切断刃４１が通過可能な第１回転位置と、縦貫通穴５２ｂを切断刃４１が通過可能な第２回転位置と、に相互に移行可能である。【選択図】  図１
2017023079.tif 000002
【特許請求の範囲】
【請求項１】
貫通穴が形成されたテーブルと、
前記貫通穴を、前記テーブルの下方から前記テーブル表面より上方にせり上がり可能な切断刃と、
前記切断刃を移動させる移動機構と、を有し、
前記テーブルは、
長穴形状の第１方向貫通穴と、
長穴形状の第２方向貫通穴と、を有し、
前記第１方向貫通穴と前記第２方向貫通穴とは、交差しており、
前記切断刃は、
前記第１方向貫通穴を前記切断刃が通過可能な第１回転位置と、
前記第２方向貫通穴を前記切断刃が通過可能な第２回転位置と、
に相互に移行可能である
植物種切断装置。
【請求項２】
前記切断刃は、少なくとも第１切断刃と第２切断刃とを有し、
前記第１切断刃と前記第２切断刃とは、所定の間隔を有し、かつ、平行である
請求項１に記載の植物種切断装置。
【請求項３】
前記第１切断刃と前記第２切断刃の先端部は、上方に行くに従い互いの距離が遠くなるように構成されている
請求項２に記載の植物種切断装置。
【請求項４】
植物種をテーブルの上方に移動させないための位置固定手段を有する
請求項１〜３のいずれか１項に記載の植物種切断装置。
【請求項５】
前記移動機構は、人の足による踏み込みを動力として駆動するリンク機構である
請求項１〜４のいずれか１項に記載の植物種切断装置。
【発明の詳細な説明】
【技術分野】
【０００１】
本発明は、植物種の切断装置に関する。
【背景技術】
【０００２】
シャクヤク、センキュウ、オケラや薬用植物等の根茎を切断して栽培を開始できる植物の需要が高まっている。
また、収穫時に根茎を処理するものとしては特許文献１のような技術も存在する。
【先行技術文献】
【特許文献】
【０００３】
【特許文献１】特開２００４−１９４５９４号公報
【発明の概要】
【発明が解決しようとする課題】
【０００４】
しかしながら、特許文献１では、根茎の大きさ・形状がある程度揃っているものであれば対応できるが、大きく異なっている場合には対応できない。
裁断機のようなもので人の手によって裁断することも可能であるが、作業効率が劣る上に、硬い根茎の場合には負荷が大きく作業性が悪い。
また、複雑な装置を開発する場合には、大きさの揃っていない根茎を切断するという需要が少ないため、採算があわないという問題点があった。
また、特別な切断用の刃を開発すると、切断対象が硬い場合には、刃を交換する機会が多くなり、同じく採算が合わないという問題点があった。
【０００５】
本発明の目的は、より効率的・経済的な植物種切断装置を提供することである。
【課題を解決するための手段】
【０００６】
本発明の植物種切断装置は、貫通穴が形成されたテーブルと、前記貫通穴を、前記テーブルの下方から前記テーブル表面より上方にせり上がり可能な切断刃と、前記切断刃を移動させる移動機構と、を有し、前記テーブルは、長穴形状の第１方向貫通穴と、長穴形状の第２方向貫通穴と、を有し、前記第１方向貫通穴と前記第２方向貫通穴とは、交差しており、前記切断刃は、前記第１方向貫通穴を前記切断刃が通過可能な第１回転位置と、前記第２方向貫通穴を前記切断刃が通過可能な第２回転位置と、に相互に移行可能である。
【０００７】
好適には、前記切断刃は、少なくとも第１切断刃と第２切断刃とを有し、前記第１切断刃と前記第２切断刃とは、所定の間隔を有し、かつ、平行である。
【０００８】
好適には、前記第１切断刃と前記第２切断刃の先端部は、上方に行くに従い互いの距離が遠くなるように構成されている。
【０００９】
好適には、植物種をテーブルの上方に移動させないための位置固定手段を有する。
【００１０】
好適には、前記移動機構は、人の足による踏み込みを動力として駆動するリンク機構である。
【発明の効果】
【００１１】
本発明における植物種切断装置によって、より効率的・経済的な植物種切断装置を提供することが可能となる。
【図面の簡単な説明】
【００１２】
【図１】植物種切断装置の斜視図である。
【図２】踏込ペダルが踏み込まれていない状態における植物種切断装置の側面図である。
【図３】リンク機構の一部の拡大図である。
【図４】リンク機構の踏込ペダルが踏み込まれた状態の説明図である。
【図５】回転テーブル及び切断刃の説明図である。
【図６】回転テーブルの説明図である。
【図７】植物種を２等分に切断するために用いられる２分割装置の説明図である。
【発明を実施するための形態】
【００１３】
＜実施形態＞
以下、本発明の実施形態について図面を参照しながら具体的に説明する。
便宜上、同一の作用効果を奏する部分には同一の符号を付け、その説明を省略する。
【００１４】
図１は、植物種切断装置１の斜視図である。また、図２は、後述する踏込ペダルが踏み込まれていない状態における植物種切断装置１の側面図である。
【００１５】
この植物種切断装置１は、植物種を切断する為の装置である。
ここで、植物種とは、例えば、シャクヤク、センキュウ、オケラの根茎等である。もっとも、これらに限定されず、切断して栽培を開始できる植物の根又は茎であればどのようなものであってもよく、薬用植物のように土砂が付着していることの多い不定形の根茎であってもよい。
【００１６】
図１のように、植物種切断装置１は、移動機構３、テーブル５及び位置固定手段７を有している。
【００１７】
移動機構３は、リンク機構３１及び台３２を有している。なお、リンク機構の詳細は、図２〜図４で詳細に説明する。
リンク機構３１は、人の足の踏み込み力によって切断刃４１（図２参照）を上下に移動させる機構であり、台３２は、人が踏み込む際の支えとなる部分である。
【００１８】
テーブル５は、机板５１、フレーム支柱５４、下前後フレーム５５及び下左右フレーム５６を有する。
【００１９】
下前後フレーム５５は、左右に１個ずつ配置され、この左右の下前後フレーム５５の間を橋渡すように、４個の下左右フレーム５６が配置されている。
【００２０】
４個の下左右フレーム５６は等間隔で配置され、２個の下前後フレーム５５と４個の下左右フレーム５６とは互いに溶接、ボルト接合等でそれぞれ固定されている。
【００２１】
また、左側の下前後フレーム５５の前後の端部付近から、それぞれ１個ずつのフレーム支柱５４が垂直に配置されている。同様に、右側の下前後フレーム５５の前後の端部付近から、それぞれ、１個ずつのフレーム支柱５４が垂直に配置されている。
【００２２】
この４個のフレーム支柱５４の上方に机板５１が配置され、この机板５１は、水平に板状の形状を有している。
【００２３】
机板５１の略中央には、十字形状を有する貫通穴５２が形成されている。
【００２４】
この貫通穴５２は、横貫通穴５２ａ（第１方向貫通穴）及び縦貫通穴５２ｂ（第２方向貫通穴）によって形成されている。
横貫通穴５２ａは、左右方向に伸びる長穴形状を有し、縦貫通穴５２ｂは、前後方向に伸びる長穴形状を有している。
横貫通穴５２ａ及び縦貫通穴５２ｂが互いに中央付近で９０度の角度で交差することによって、貫通穴５２が形成されている。
【００２５】
また、横貫通穴５２ａ及び縦貫通穴５２ｂの短辺には、それぞれ長方形状の支持板５７ａ〜５７ｄが固定して設けられている。
【００２６】
支持板５７ａ〜５７ｄは、植物種の貫通穴５２への落下を防止するためのものであり、横貫通穴５２ａ及び縦貫通穴５２ｂよりも、ひとまわり小さく形成されている。
このため、支持板５７ａ〜５７ｄと、横貫通穴５２ａ及び縦貫通穴５２ｂとの間には、細長い貫通孔が形成されることになり、かかる貫通孔から切断刃４１が机板５１よりも上方に向けてせり上がることが可能になる。
【００２７】
後述するように、切断刃４１は平行な２枚の第１切断刃４１ａと第２切断刃４１ｂとで構成されており（図５参照）、切断刃４１が机板５１よりも上方にせり上がってきたときには、平行な２枚の第１切断刃４１ａと第２切断刃４１ｂとの間に、支持板５７ａ及び支持板５７ｄまたは支持板５７ｂ及び支持板５７ｃが位置することになる。
そして、平行な２枚の第１切断刃４１ａと第２切断刃４１ｂが机板５１よりも下方に移動するとき（引っ込む際）には、支持板５７ａ〜５７ｄが植物種に当接して、下方に移動する第１切断刃４１ａ及び第２切断刃４１ｂに対して相対的に植物種を押し出すようになるので、第１切断刃４１ａ及び第２切断刃４１ｂにより切断された植物種を引き離すことが容易になる。
【００２８】
また、机板５１の後側かつ右側位置には、左右に長い貫通長穴５３が形成されている。
この貫通長穴５３は、切断された後の植物種を落とすため穴である。これによって、作業効率を向上させることができる。
【００２９】
位置固定手段７は、植物種を切断する際に、上方に移動しないように固定する機能を有している。また、位置固定手段７は、植物種を切断する際に、前後左右にも移動しないように固定する機能を有している。
これにより、植物種の上方への移動を規制し、下方からせり上がる切断刃４１（図２参照）により植物種を切断することができることになる。
【００３０】
位置固定手段７は、固定レバー７１、固定アーム７２、第１固定リンク７３、第２固定リンク７４、第３固定リンク７５、固定柱７７、及び、固定爪部７６を有している。
【００３１】
固定爪部７６は、４本の爪から形成されている。
第１の爪は、上方から見ると右前方（４５度方向）に伸び、第２の爪は、上方から見ると左前方（１３５度方向）に伸び、第３の爪は、上方から見ると左後方（２２５度方向）に伸び、第４の爪は、上方から見ると左後方（３１５度方向）に伸びている。また、第１の爪〜第４の爪は、側面からみると下の方向に伸びている。
第１の爪〜第４の爪が、それぞれ０度、９０度、１８０度、２７０度方向とは等間隔方向に伸びているのは、切断刃４１と干渉しないようにするためである。
【００３２】
もっとも、固定爪部７６の形状はこの形状に限定されない。たとえば、爪の数は必ずしも４個である必要はなく、３個、又は、５個以上であってもよい。さらに、爪の形状も、円形・楕円の回転体の外形に合わせたものであってもよい。また、爪は、弾性力によって多少移動するようなものであってもよい。
【００３３】
固定柱７７は、机板５１から垂直に上方に立ち上がっている。
この固定柱７７に、第１固定リンク７３、第２固定リンク７４の一端が回転自在に固定されている。
【００３４】
また、第１固定リンク７３、第２固定リンク７４の他端に、第３固定リンク７５が回転自在に固定されている。
第１固定リンク７３の長さと第２固定リンク７４の長さは同一の長さを有し、固定柱７７の第１固定リンク７３の固定位置から第２固定リンク７４の固定位置までの長さと、第３固定リンク７５の長さは同一である。
このような構成を有することから、平行リンク構造を有していることになる。
【００３５】
そして、第３固定リンク７５の下方には、固定爪部７６が配置されている。そのため、固定爪部７６は、常に完全に下方を向いたまま、平行移動されることになる。
これによって、確実に、植物種を固定することができる。
【００３６】
固定レバー７１は、位置固定手段７をユーザが手によって駆動する為に設けられる。
また、固定レバー７１は、切断刃４１による切断の際には、植物種の移動を妨げる反力をユーザが与える機能を有している。
さらに、固定アーム７２は、固定レバー７１に与えられるユーザからの力をてこの原理等によって増幅する機能を有し、ユーザが使用しやすい位置にまで、固定レバー７１を延長等する機能も有している。
【００３７】
図３は、リンク機構３１の一部の拡大図である。また、図４は、リンク機構３１の踏込ペダル３３が踏み込まれた状態の説明図である。
【００３８】
図２〜図４のように、リンク機構３１は、踏込ペダル３３、第１リンク３４、第２リンク３５、第３リンク３７、三点リンク３８、第４リンク３９、第１固定柱３６、第２固定柱１４１、固定板４０、上下動部１４２、鍔部１４３、刃固定部５０、切断刃４１を有している。
なお、図２〜図４を用いてのリンク機構３１の位置関係の説明は、図１における説明と同じ基準によって説明する。
【００３９】
図２のように、固定板４０の後方端部位置において、固定板４０と踏込ペダル３３の後方側端部３３ａが回転自在に固定されている。
【００４０】
また、固定板４０の前後方向（長手方向）の中央よりも前方位置の略中央部において第１固定柱３６の下端部３６ａが固定されている。この第１固定柱３６は、上方に伸びる柱形状を有している。
【００４１】
固定板４０の前後の前方側端部において第２固定柱１４１が固定されている。この第２固定柱１４１は、上方に伸びる柱形状を有している。
【００４２】
第１固定柱３６は、第１固定柱上方端部３６ｃと、第１固定柱上方端部３６ｃよりも下側位置に位置する第１固定柱中間部３６ｂと、を有している。
【００４３】
第２固定柱１４１の上方は下側の部分よりの経の小さい小径部１４１ａを有している。この小径部１４１ａの外周を上下動部１４２が上下方向に摺動自在かつ回転自在に固定されている。
【００４４】
また、上下動部１４２には、上下動部１４２を上下に移動させるための上下動部接続部１４２ａが形成されている。
【００４５】
上下動部１４２の上端には、鍔部１４３が設けられ、鍔部１４３の上端には、切断刃４１を固定するための刃固定部５０が設けられている。
【００４６】
そして、刃固定部５０には、切断刃４１が固定されている。
これにより、上下動部１４２が上下に移動するのに従い、切断刃４１が上下に移動し、切断刃４１が机板５１の表面よりも上方にせり出すことが可能となる。
【００４７】
また、切断刃４１は、刃固定部５０にネジ止めして固定されており、切断刃４１が破損したときには、新しい切断刃４１に交換可能に構成されている。
【００４８】
上述のように、固定板４０の後方端部位置において、固定板４０と踏込ペダル３３の後方側端部３３ａが回転自在に固定されている。
踏込ペダル３３は、後方踏込部３３ｂを有している。この後方踏込部３３ｂは、切断刃４１を強制的に下位置に戻す場合に使用することも可能である。また、踏込ペダル３３は、ユーザが踵を置いておく為の機能も果たしている。
【００４９】
踏込ペダル３３のペダルの前方の端部に位置する踏込前方端部３３ｃは、第１リンク３４の下方の端部に位置する第１リンク下方端部３４ａと回転自在に接続されている。
【００５０】
第１リンク３４は長板形状を有している。
第１リンク３４の上方の端部に位置する第１リンク上方端部３４ｂは、第２リンク３５の後方の端部に位置する第２リンク後方端部３５ａと回転自在に接続されている。
【００５１】
第２リンク３５は長板形状を有している。
第２リンク３５の前方の端部に位置する第２リンク前方端部３５ｃは、三点リンク３８の上方の端部に位置する３点リンク上方端部３８ｂと回転自在に接続されている。
第２リンク３５の中央に位置する第２リンク中央部３５ｂは、第１固定柱上方端部３６ｃと回転自在に接続されている。
【００５２】
三点リンク３８は、大小記号の＞の形状を有している。
＞の形状の上方の端部に３点リンク上方端部３８ｂが形成されている。
＞の形状の中間位置に３点リンク中央部３８ｃが形成されている。
＞の形状の下方の端部に三点リンク下方端部３８ａが形成されている。
【００５３】
第３リンク３７は、長板形状を有している。
第３リンク３７の後方の端部に位置する第３リンク後方端部３７ａは、第１固定柱３６の第１固定柱中間部３６ｂと回転自在に接続されている。
第３リンク３７の前方の端部に位置する第３リンク前方端部３７ｂは、三点リンク３８の下方の端部に位置する三点リンク下方端部３８ａと回転自在に接続されている。
【００５４】
第４リンク３９は、長板形状を有している。
三点リンク３８の３点リンク中央部３８ｃと、第４リンク３９の後方の端部に位置する第４リンク後方端部３９ａと、上下動部接続部１４２ａとが回転自在に接続されている。
【００５５】
第１固定柱上方端部３６ｃと第１固定柱中間部３６ｂの距離は、３点リンク上方端部３８ｂと三点リンク下方端部３８ａとの距離と同一である。第２リンク中央部３５ｂと第２リンク前方端部３５ｃとの距離は、第３リンク後方端部３７ａと第３リンク前方端部３７ｂとの距離と同一である。
このため、リンク機構３１は、結果的に平行リンクの構造を有している。
【００５６】
第２リンク後方端部３５ａと第１固定柱中間部３６ｂ（第３リンク後方端部３７ａ）は、バネ定数ｋ２の第２バネＫ２に夫々接続されている。これによって、第２リンク後方端部３５ａと第１固定柱中間部３６ｂは引き合うように形成されている。
【００５７】
また、第２リンク前方端部３５ｃと第１固定柱中間部３６ｂ（第３リンク後方端部３７ａ）は、バネ定数ｋ１の第１バネＫ１に夫々接続されている。これによって、第２リンク前方端部３５ｃと第１固定柱中間部３６ｂは引き合うように形成されている。
【００５８】
以上のように形成されていることから、ユーザによって踏込ペダル３３を前方に踏み込むと、踏込ペダル３３が踏込ペダル３３の後方側端部３３ａを中心に回転し、この回転によって、上下動部１４２が上方に移動することになる。
なお、踏込ペダル３３の踏込角度θ（図２参照）は、水平から＋２０度〜−３５度の範囲が人体工学的に適切であると実験によって確かめている。
【００５９】
また、上述のように、第１バネＫ１及び第２バネＫ２を設けている。
この第１バネＫ１と第２バネＫ２のバネ定数を調節することによって、ユーザの踏込力を適切に調整することが可能となる。
また、この第１バネＫ１と第２バネＫ２のバネ定数を調節することによって、リンク機構３１が自動的に元の状態に戻るように調節することも可能となる。
【００６０】
図５は、回転テーブル４及び切断刃４１の説明図である。
【００６１】
図５は、机板５１の裏側に配置された回転テーブル４の一部を図示している。
上述したように、リンク機構３１に設けられた切断刃４１は、ユーザによって踏込ペダル３３が踏み込まれていないときには、机板５１の裏側（下方）に配置されていることになる。
【００６２】
ここで、切断刃４１は、２枚の第１切断刃４１ａと第２切断刃４１ｂとで構成され、第１切断刃４１ａと第２切断刃４１ｂとは、平行かつ所定の間隔をあけて刃固定部５０に固定されている。
【００６３】
また、第１切断刃４１ａ及び第２切断刃４１ｂは、山形状の刃（図２参照）で構成され、第１切断刃４１ａ及び第２切断刃４１ｂの先端部は、上方に行くに従い互いの距離が遠くなるように構成されている。
これにより、植物種を切断した後、切断後の植物種と第１切断刃４１ａ及び第２切断刃４１ｂとを引き離すことが容易になる。
【００６４】
回転テーブル４は、机板５１の裏側において、回転可能に机板５１に支持されている。
【００６５】
スライダ４８は、回転テーブル４の回転をガイドするためのものであり、回転テーブル４には、回転テーブル４を回転させるための回転機構の回転伝達部４９が接続されている。
【００６６】
この回転伝達部４９を含めた回転機構は、ユーザによるレバー等（図示せず）による操作によって、回転テーブル４を９０度回転させるための機構である。
このレバー等による回転テーブル４の操作は、一方方向に植物種を切断したのち、９０度回転してさらに、植物種を切断するために用いられる。
【００６７】
ここで、その一方の回転状態を、第１回転位置といい、９０度回転した後の位置を第２回転位置という。この第１回転位置と第２回転位置とは、ユーザによるレバー等（図示せず）による操作によって、互いに移行させることが可能である。
【００６８】
なお、ユーザによるレバー等を設けずに、電気装置等（例えばモータ）によって回転テーブル４を９０度毎に回転させるように構成してもよい。
【００６９】
また、回転テーブル４には、第１切断刃４１ａと対向し、第１切断刃４１ａが挿通される第１挿通穴４２ａと、第２切断刃４１ｂと対向し、第２切断刃４１ｂが挿通される第２挿通穴４２ｂとが形成されている。
【００７０】
さらに、回転テーブル４には、ボルト４６の一端が固定されており、ボルト４６の他端は、刃固定部５０に設けられたボルト貫通孔５０ａに遊挿されている。
これにより、第１切断刃４１ａと第１挿通穴４２ａとの位置関係、及び第２切断刃４１ｂと第２挿通穴４２ｂとの位置関係が保持される。加えて、回転テーブル４を上下に移動させずに、リンク機構３１に設けられた切断刃４１のみを上方に移動させることもできる。
【００７１】
さらには、回転テーブル４と切断刃４１（第１切断刃４１ａ及び第２切断刃４１ｂ）とを連動させて回転させることができる。
このため、回転テーブル４を９０度毎に回転させることにより、切断刃４１（第１切断刃４１ａ及び第２切断刃４１ｂ）も９０度毎に回転し、切断刃４１により植物種を複数の角度で切断することができる。
【００７２】
図６は、回転テーブル４の説明図である。
【００７３】
図６は、机板５１を取り除き、上から回転テーブル４を上から見た図面である。
【００７４】
上述したように、回転テーブル４には、第１挿通穴４２ａと第２挿通穴４２ｂとが平行に形成され、回転テーブル４の周辺には、４つのスライダ４８が設けられている。
なお、スライダ４８には、回転テーブル４の上方への移動を規制する長方形状の規制部材４８ａも設けられている。
【００７５】
また、回転テーブル４の上方には、机板５１における横貫通穴５２ａ及び縦貫通穴５２ｂの形状に対応した十字形形状の壁部４３が設けられている。壁部４３は、回転テーブル４の回転に伴って回転することがなく、机板５１の側壁に固定されている。
【００７６】
また、壁部４３は、第１挿通穴４２ａからせり上がった第１切断刃４１ａ及び第２挿通穴４２ｂからせり上がった第２切断刃４１ｂを、机板５１における横貫通穴５２ａ及び縦貫通穴５２ｂに案内するための壁である。
【００７７】
以上のように、本発明における植物種切断装置１によれば、移動機構３（図１参照）が操作された際に、第１切断刃４１ａ及び第２切断刃４１ｂが机板５１の表面よりも上方にせり上がる。
これによって、位置固定手段７によって固定された、植物種を切断刃４１が切断することが可能となる。
【００７８】
より具体的には、回転テーブル４が第１回転位置において、踏込ペダル３３が踏み込まれると、移動機構３の駆動により２つの切断刃４１が机板５１の表面にせり上がり、位置固定手段７によって固定された植物種が３つに切断される。
【００７９】
その後、踏込ペダル３３の踏み込みを解放すると、移動機構３が元に戻り、２つの切断刃４１は机板５１の表面より下方に戻る。
この際、支持板５７ａ〜５７ｄが植物種に当接して、下方に移動する２つの切断刃４１に対して相対的に植物種を押し出すようになるので、２つの切断刃４１により切断された植物種は容易に引き離されることになる。
【００８０】
そして、レバー等による回転テーブル４の操作を行うことにより、回転テーブル４が第２回転位置に移動する。この回転テーブル４の回転に連動して、２つの切断刃４１がそれぞれ９０度回転することになる。
【００８１】
その後、踏込ペダル３３が踏み込まれると、移動機構３の駆動により２つの切断刃４１は机板５１の表面にせり上がり、位置固定手段７によって固定された植物種をさらに３つに切断する。
これによって、植物種は９つに切断されることになる。
【００８２】
最後に、踏込ペダル３３の踏み込みを解放すると、移動機構３が元に戻り、２つの切断刃４１は机板５１の表面より下方に戻り、植物種は９つに引き離されることになる。
【００８３】
なお、切断刃４１は、一般的に売られている切断用の器具を使用することができるように設計されることが好ましい。これによって、植物種切断装置１をより安価に制作することが可能となる。
特に、植物種の種類によっては、切断刃４１が比較的早期に傷んでしまうことが想定されるが、この場合でも一般に売られている切断用の器具であることから、安価かつ容易に交換部品を取得することがユーザは可能となる。
【００８４】
なお、切断刃４１の数は２個に限定されず、３個以上に構成してもよい。
例えば、切断刃４１の数を３個に構成する場合には、回転テーブル４に３つの挿通穴を形成し、机板５１に切断刃４１に対応した貫通孔を形成すればよい。
【００８５】
図７は、植物種を２等分に切断するために用いられる２分割装置１０１の説明図である。
【００８６】
上述したように、植物種切断装置１は、２つの第１切断刃４１ａと第２切断刃４１ｂによって、植物種を少なくとも３つに切断する。
このため、植物種を横に２分割した上で、植物種切断装置１を用いて植物種を縦に３分割又は９分割に切断したいような場合、すなわち、植物種を最終的に６分割または１８分割に切断したい場合には、植物種切断装置１を使用する前に、２分割装置１０１を用いることになる。
【００８７】
この２分割装置１０１は、切断刀１０２、切断レバー１０２ａ、右側固定部１０３、左側固定部１０４、万力駆動部１０９、万力部１０８、移動アーム部１０７、移動アームばね部１０７ａ、平行リンク部１０５を有している。
【００８８】
切断刀１０２は、一端（図７では手前側）が回転自在に軸支され、ユーザが切断レバー１０２ａを操作することによって、垂直方向に移動可能に構成されている。
この移動によって、切断刀１０２によって、植物種が２分割される。
【００８９】
右側固定部１０３は、万力駆動部１０９及び万力部１０８によって、固定されている。
この右側固定部１０３は、万力駆動部１０９を回転させることによって、左右方向に移動可能である。なお、万力駆動部１０９は通常の作業の切断の度に操作するものではない。
【００９０】
他方、左側固定部１０４は、移動アーム部１０７によって、ほぼ一回の切断毎にユーザによって操作される。
【００９１】
また、左側固定部１０４は、移動アームばね部１０７ａによって、一定程度の範囲であれば、水平後方に搖動可能な状態で保持される。
この移動アームばね部１０７ａがあることによって、植物種の形状が歪であっても、右側固定部１０３及び左側固定部１０４によって固定できる。
【００９２】
平行リンク部１０５は、左側固定部１０４を平行な状態で固定するために用いられている。
【００９３】
移動アーム部１０７は、一端（図７においては手前側）が回転自在に軸支され、ユーザが移動アーム部１０７を操作することによって、水平方向に移動可能に構成されている。
この移動によって、植物種が右側固定部１０３及び左側固定部１０４によって挟持されて、固定されることになる。
【００９４】
以上説明したように、２分割装置１０１を用いて、植物種を２分割に切断する場合には、まず、右側固定部１０３と左側固定部１０４との間に植物種を載置する。
次に、移動アーム部１０７を植物種が載置されている方向（右側固定部１０３側）に水平方向に移動させて、植物種を右側固定部１０３及び左側固定部１０４によって挟持して固定する。
最後に、切断レバー１０２ａを垂直方向に移動させると、切断刀１０２によって植物種が２分割に切断されることになる。
【００９５】
このように２分割装置１０１によって２分割された植物種を、上述した植物種切断装置１に用いることにより、植物種を最終的に６分割または１８分割に切断することができることになる。
【００９６】
なお、植物種を切断するにあたり、２分割装置１０１を用いずに、植物種切断装置１のみを用いてもよい。
【００９７】
＜実施形態の構成及び効果＞
植物種切断装置１は、貫通穴５２形成されたテーブル５と、貫通穴５２を、テーブル５の下方からテーブル５表面より上方にせり上がり可能な切断刃４１と、切断刃４１を移動させる移動機構３と、を有し、テーブル５は、長穴形状の横貫通穴５２ａと、長穴形状の縦貫通穴５２ｂと、を有し、横貫通穴５２ａと縦貫通穴５２ｂとは、交差しており、切断刃４１は、横貫通穴５２ａを切断刃４１が通過可能な第１回転位置と、縦貫通穴５２ｂを切断刃４１が通過可能な第２回転位置と、に相互に移行可能である。
このような構成を有することから、より効率的・経済的な根茎の切断装置を提供することが可能となる。
【００９８】
切断刃４１は、少なくとも第１切断刃４１ａと第２切断刃４１ｂとを有し、記第１切断刃４１ａと第２切断刃４１ｂとは、所定の間隔を有し、かつ、平行である。
このような構成を有することから、切断刃４１が一度稼働しただけで、３個以上に植物種を切断することができる。
【００９９】
第１切断刃４１ａと第２切断刃４１ｂは、上方に行くに従い互いの距離が遠くなる位置関係で固定されている。
このような構成を有することから、切断後の植物種と第１切断刃４１ａ又は第２切断刃４１ｂとを引き離すことが容易になる。
【０１００】
植物種をテーブルの上方に移動させないための位置固定手段７を有する。
これによって、ユーザは安全に、かつ、確実に、植物種を分断することが可能となる。
【０１０１】
移動機構３は、人の足による踏み込みを動力として駆動するリンク機構である。
これによって、電気、エンジン等が無い環境でも植物種切断装置１を使用することが可能となる。
また、少ない労力、人体工学的に不自然ではない体勢でユーザは植物種切断装置１を使用することが可能となる。
【０１０２】
＜定義等＞
本発明における植物種とは、例えば、シャクヤク、センキュウ、オケラの根茎等であるが、これらに限定されず、切断して栽培を開始できる植物の根又は茎であればどのようなものであってもよい。
【符号の説明】
【０１０３】
１  植物種切断装置
３  移動機構
４  回転テーブル
５  テーブル
７  位置固定手段
３１  リンク機構
３２  台
３３  踏込ペダル
４１  切断刃
４１ａ  第１切断刃
４１ｂ  第２切断刃
４２ａ  第１挿通穴
４２ｂ  第２挿通穴
４３  壁部
４６  ボルト
４８  スライダ
５０  刃固定部
５０ａ  ボルト貫通孔
５１  机板
５２  貫通穴
５２ａ  横貫通穴
５２ｂ  縦貫通穴
５３  貫通長穴
５７ａ〜５７ｄ  支持板
１０１  ２分割装置
１０２  切断刀
１０２ａ  切断レバー
１０３  右側固定部
１０４  左側固定部
１０７  移動アーム部
１０８  万力部
１０９  万力駆動部
１４１  第２固定柱
１４１ａ  小径部
１４２  上下動部
１４２ａ  上下動部接続部
１４３  鍔部
【図１】
2017023079.tif 000003
【図２】
2017023079.tif 000004
【図３】
2017023079.tif 000005
【図４】
2017023079.tif 000006
【図５】
2017023079.tif 000007
【図６】
2017023079.tif 000008
【図７】
2017023079.tif 000009